(57)【特許請求の範囲】
【請求項１】
基材上に少なくとも第１の領域と第２の領域から成る階調画像を有し、
前記階調画像は、画線ユニットが隙間なくマトリックス状に配置され、
各前記画線ユニットは、少なくとも第１の要素と第２の要素を有し、
前記第１の要素と前記第２の要素は、重複することなく相互に異なる面積を有し、
前記第１の領域は、前記第１の要素に機能性を有するインキと、前記第２の要素に前記機能性を有するインキと可視反射光下で等色の機能性を有しないインキから成る第１の画線ユニットと、前記第１の要素に前記機能性を有しないインキと、前記第２の要素に前記機能性を有するインキから成る第２の画線ユニットで形成され、
前記第２の領域は、前記第１の要素に前記機能性を有しないインキと、前記第２の要素に前記機能性を有しないインキから成る第３の画線ユニットで形成され、
前記機能性を有しないインキ及び前記機能性を有するインキは、下記のｉ）ないしｉｖ）のいずれかで形成され、
ｉ）は、前記機能性を有しないインキは、有色インキから成り、前記機能性を有するインキは、可視透過光下で観察した場合に前記機能性を有しないインキと色彩が異なって視認される有色浸透インキから成り、
ｉｉ）は、前記機能性を有しないインキは、有色インキから成り、前記機能性を有するインキは、紫外線を照射した場合に発光して視認される蛍光発光インキから成り、
ｉｉｉ）は、前記機能性を有しないインキは、有色インキから成り、前記機能性を有するインキは、可視光下の所定の波長をカットするフィルタを透して観察した場合に前記機能性を有しないインキと色彩が異なって視認されるメタメリックインキから成り、
ｉｖ）は、前記機能性を有しないインキは、赤外線透過インキから成り、前記機能性を有するインキは、赤外線吸収インキから成り、
前記第１の領域と前記第２の領域は、階調性を有する画線を有することで前記階調画像が形成され、
可視反射光下で観察した場合に、前記階調画像が視認され、
前記可視反射光下以外の所定の条件で観察した場合に、前記第１の領域の前記第１の画線ユニット内及び前記第２の画線ユニット内に形成された前記機能性を有するインキによって潜像画像が視認されることを特徴とする真偽判別可能な印刷物。
【発明の詳細な説明】
【技術分野】
【０００１】
本発明は、偽造防止効果を必要とするセキュリティ印刷物である銀行券、パスポート、有価証券、身分証明書、カード、通行券等の貴重印刷物の分野において、ハイライトからシャドウに至る濃度の段階（階調）を有する印刷物内に潜像画像が埋め込まれた真偽判別可能な印刷物に関わるものである。
【背景技術】
【０００２】
近年のスキャナ、プリンタ、カラーコピー機等のデジタル機器の進展により、貴重印刷物の精巧な複製物を容易に作製することが可能となっている。そのため、前述したような複製や偽造を防止するため、プリンタやコピー機では再現不可能な様々な偽造防止技術が必要とされている。
【０００３】
銀行券、株券、債券等の有価証券、各種証明書及び重要書類等の印刷物において、偽造、変造防止策は重要である。したがって、印刷物の印刷面は偽造、変造防止策を施す余地のある、極めて細密な画線によって図柄を構成している。この細密な画線で偽造、変造防止策を施す技術としては、細線を用いた方法、微小文字や特殊形状の網点（以下、特殊形状網点と称する。）等の微細構成素子を用いた方法等がある。また、特殊な機能を有するインキを用いた偽造、変造防止策を施す技術としては、ペアインキを用いた条件等色の印刷物等がある。
【０００４】
細線を用いた方法の代表的な技術として、地紋、彩紋模様、レリーフ模様等があり、基本的に一定の画線幅による曲画線の集合によって模様を構成しているものである。これらの模様は印刷物のデザイン等の意匠性を加味し、偽造、変造防止策を施すことができ、模様を複雑にすることによって偽造物における同一の模様を作製しようとするのを困難とし、写真製版装置による抽出又は複写機では再現されにくい色彩を用いたり、複雑な曲画線にして複写機及びスキャナの走査入出力に対するモアレを発生させたりすることで偽造防止策としての役割を高めている。
【０００５】
また、模様類は証券印刷物等のデザインにおいて世界的に広く用いられていると同時に、銀行券、株券、債券等の金銭的価値を有する印刷物の模様として古くから用いられていたことにより、現在でも一般的に高級感を印象づけるデザインとして重要な模様となっている。したがって、銀行券、株券、債券等の有価証券、各種証明書及び重要書類等の印刷物において、細線により構成された図形はデザイン上欠かすことのできない模様となっている。
【０００６】
微細構成素子を用いた方法の代表的な技術として、微細構成素子を微小文字とした方法がある。微小文字における偽造、変造防止策は、模様を細密且つ、複雑にすることによって偽造物における同一の模様を作製しようとするのを困難とし、写真製版装置による抽出又は複写機では再現されにくい色彩を用いたりすることで偽造防止策として役割を高めている。さらに、印刷面上を数多くの微小文字で構成することによって、偽造、変造防止に有効な地紋模様を形成することができると同時に、印刷物製品に必須とする文章情報を大量に施すことができる。また、一般の人が市場流通過程において拡大鏡等による観察によって、微小文字の文言及び形状が真正なものであるか否かを簡単に識別できる方法であるため、微小文字は証券印刷物等のデザインにおいて世界的に広く用いられていると同時に、銀行券、株券、債券等の金銭的価値を有する印刷物の模様として古くから用いられ、現在でも一般的に高級感を印象づけるデザインとして重要な模様となっており、銀行券、株券、債券等の有価証券、各種証明書及び重要書類等の印刷物において、微小文字はデザイン上欠かすことのできない模様となっている。
【０００７】
また、特殊形状網点の微細構成素子を用いた方法としては、商標、家紋、シンボルマーク、文字等の意匠性を有するスクリーン形状が、関数で得られた図形によって生成することができるところの特殊形状網点が開示されている（特許文献１参照）。特殊形状網点の集合は、連続階調画像として、銀行券や有価証券等に適用して偽造防止及び改ざん防止となり、又は意匠性が要望される印刷分野においても、著しくその応用分野を拡大利用することができるものである。また、特殊形状網点は、複写機等で再現不可能であるため、偽造、変造防止に有効な手段である。
【０００８】
ペアインキを用いた条件等色の印刷物としては、機能性を有するインキと、機能性を有するインキと所定の条件で等色の機能性を有しないインキを使用して、基材上に印刷した印刷物を可視反射光下で観察した場合、機能性を有するインキと機能性を有しないインキの色彩が等色に視認され、可視反射光下以外の所定の条件で観察した場合、機能性を有するインキと機能性を有しないインキの色彩等が異なり潜像画像が視認される技術が開示されている（特許文献２参照）。
【０００９】
また、印刷物を可視反射光下で観察した画像と、可視透過光下で観察した場合とで、異なる画像が潜像画像として視認されることで真偽判別が可能な技術が開示されている（特許文献３参照）。この印刷物は、特殊な光源、フィルタ等、特別な道具を用いる必要のなく、市販されている浸透型インキを単に印刷するだけでは形成不能であり、これを形成するにあたっては、浸透成分と色材を適正な配合割合で混ぜ合わせ、可視反射光下では視認可能な色彩を有して観察されるが、可視透過光下では不可視となるか、もしくは視認し難い極めて淡い色彩へと変化する光学特性を有する第２のインキを作製する必要があり、そのためにはインキ製造のための技能と設備が必要であり、容易に偽造することは不可能な印刷物となり得る。
【００１０】
ここで、特許文献１の特殊形状網点印刷物の技術と、特許文献２又は特許文献３等のペアインキを用いた印刷物の技術を組み合せ、より偽造が困難な真偽判別可能な印刷物を考えてみる。図１（ａ）に示すように、基材１´上に特殊形状網点の集合が印刷され、階調画像２´が形成される。図１（ｂ）に示すように、階調画像２´は、少なくとも第１の領域３´と、図１（ｃ）に示すように、第２の領域４´を有する構成と成っている。第１の領域３´内の特殊形状網点は、機能性を有するインキで印刷し、第２の領域４´内の特殊形状網点は、機能性を有するインキと等色の機能性を有しないインキで印刷される。
【００１１】
図１に示した真偽判別可能な印刷物は、基材１´上に階調画像２´を設け、階調画像２´は、少なくとも第１の領域３´と第２の領域４´を有する構成と成っている。階調画像２´は「富士山」の図柄であり、第１の領域３´は「富士山」の図柄から「鷹」の図柄の形状で切り抜いた領域から成り、第２の領域４´は「富士山」の図柄から「鷹」の図柄の形状を切り抜ぬかれた領域から成る。すなわち、第２の領域４´の切り抜かれた「鷹」は、第１の領域３´の切り抜いた「鷹」を示し、第１の領域３´と第２の領域４´を刷り合わせると階調画像２´の「富士山」と成る。よって、第１の領域３´を潜像画像とした場合に「鷹」の図柄は、「富士山」の階調画像２´をそのまま切り取っているため、「富士山」の階調をそのまま有していることになる。
【００１２】
図２は、図１に示した従来の真偽判別可能な印刷物の観察条件の一例を示す図である。図２（ａ）は、可視光下で拡散光での観察状態であり、階調画像２´に対する光源１１と観察者の視点１２が図２（ａ）に示すような位置関係、所謂、可視反射光下での観察において、観察者には、階調画像２´が視認される。これは、可視反射光下での観察において、機能性を有するインキを使用した第１の領域３´は、はっきりと視認される色彩を有した画像を形成し、機能性を有しないインキを使用した第２の領域４´は、機能性を有するインキと等色に視認される色濃度を有する画像を形成させるため、図１（ａ）に示す階調画像２´が視認される。
【００１３】
また、図２（ｂ）に示すように、階調画像２´に対して、可視反射光１１´以外の所定の条件と視認用機器等１３を通した観察者の視点１２が図２（ｂ）に示すような位置関係、所謂、可視反射光下での観察において、観察者には、図１（ｂ）に示す第１の領域３´のみが視認され、潜像画像となる。これは、可視反射光下での観察において、機能性を有するインキを使用した第１の領域３´は、視認用機器等では、はっきりと視認される画像を形成し、機能性を有しないインキを使用した第２の領域４´は、視認用機器等では、透過し不可視か、ほとんど視認し難い程度で視認されるためである。
【００１４】
図３は、図１に示した従来の真偽判別可能な印刷物の概念図である。基材１´上に階調画像２´を設け、階調画像２´は、少なくとも第１の領域３´と第２の領域４´を有する構成と成っている。第１の領域３´に機能性を有するインキと、第２の領域４´に機能性を有しないインキを使用して、基材１´上に階調画像２´を印刷したペアインキの真偽判別可能な印刷物である。第１の領域３´と第２の領域４´は、階調画像２´から切り抜いた領域と切り抜かれた領域を示す。切り抜いた領域を第１の領域３´を示し、階調画像２´の一部の階調を有する。切り抜かれた領域を第２の領域４´を示し、階調画像２´の一部の階調を有する。第１の領域３´と第２の領域４´を刷り合わせると階調画像２´と成る。図４は、図３で示した従来の真偽判別可能な印刷物の画線ユニット内に形成される特殊形状網点の概念図である。画線ユニット５´内は、特殊形状網点６´が形成される。特殊形状網点６´は階調画像の濃度に伴ってシャドウ部からハイライト部にかけて画線面積率が異なって形成されている。なお、特殊形状網点６´の形状は、一般的なドット形状以外であれば特に限定されるものではない。
【先行技術文献】
【特許文献】
【００１５】
【特許文献１】特許第３８５５０１３号公報
【特許文献２】特公昭６１−３７６３６号公報
【特許文献３】特開２０１４−３０９５２号公報
【発明の概要】
【発明が解決しようとする課題】
【００１６】
上記記載のとおり、図１に示した真偽判別可能な印刷物は、第１の領域３´である「鷹」の図柄は、「富士山」の階調をそのまま有していることになるため、真偽判別を行うに際し、「鷹」の図柄内に「富士山」の階調が視認され、デザイン性に劣り、真偽判別が困難となる問題があった。また、仮に偽造者がペアインキの成分を把握し、偽造を試みた場合に、階調画像２´から第１の領域３´と第２の領域４´を容易に二つに区分けすることが可能であることから、偽造される可能性が高い問題があった。
【００１７】
本発明は、前述した課題の解決を目的とするものであり、階調画像の階調が潜像画像の階調にそのまま再現されることなく、特殊形状網点をペアインキで形成することで容易に偽造されることがない真偽判別可能な印刷物を提供することを目的とする。
【課題を解決するための手段】
【００１８】
本発明における真偽判別可能な印刷物は、基材上に少なくとも第１の領域と第２の領域から成る階調画像を有し、階調画像は、画線ユニットが隙間なくマトリックス状に配置され、各画線ユニットは、少なくとも第１の要素と第２の要素を有し、第１の要素と第２の要素は、重複することなく相互に異なる面積を有し、第１の領域は、第１の要素に機能性を有するインキと、第２の要素に機能性を有するインキと可視反射光下で等色の機能性を有しないインキから成る第１の画線ユニットと、第１の要素に機能性を有しないインキと、第２の要素に機能性を有するインキから成る第２の画線ユニットで形成され、第２の領域は、第１の要素に機能性を有しないインキと、第２の要素に機能性を有しないインキから成る第３の画線ユニットで形成され、第１の領域と第２の領域は、階調性を有する画線を有することで階調画像が形成され、可視反射光下で観察した場合に、階調画像が視認され、可視反射光下以外の所定の条件で観察した場合に、第１の領域の第１の画線ユニット内及び第２の画線ユニット内に形成された機能性を有するインキによって潜像画像が視認されることを特徴とする。
【００１９】
本発明における真偽判別可能な印刷物の機能性を有しないインキ及び機能性を有するインキは、下記のｉ）乃至ｉｖ）のいずれかで形成され、ｉ）は、機能性を有しないインキは、有色インキから成り、機能性を有するインキは、可視透過光下で観察した場合に機能性を有しないインキと色彩が異なって視認される有色浸透インキから成り、ｉｉ）は、機能性を有しないインキは、有色インキから成り、機能性を有するインキは、紫外線を照射した場合に発光して視認される蛍光発光インキから成り、ｉｉｉ）は、機能性を有しないインキは、有色インキから成り、機能性を有するインキは、可視光下の所定の波長をカットするフィルタを透して観察した場合に機能性を有しないインキと色彩が異なって視認されるメタメリックインキから成り、ｉｖ）は、機能性を有しないインキは、赤外線透過インキから成り、機能性を有するインキは、赤外線吸収インキから成ることを特徴とする。
【発明の効果】
【００２０】
本発明の真偽判別可能な印刷物は、階調画像の階調が潜像画像の階調にそのまま再現されることなく、潜像画像のデザインに合わせて階調を付与することが可能となる。また、階調画像は複雑な特殊形状網点で形成されているため、複製が困難であるとともに、特殊形状網点内をペアインキで形成することで、容易にペアインキの領域を特定されることないため、仮に偽造者にペアインキの成分が把握されたとして、複製することが不可能となる。
【００２１】
本発明の真偽判別可能な印刷物においては、第１の領域と第２の領域の画線形状に階調を伴ったことにより、写真等の階調を伴う画像が形成されるようになり、デザインの自由度が高い。
【００２２】
本発明の真偽判別可能な印刷物においては、第１の領域と第２の領域に使用するペアインキの機能性により、可視反射光下で観察される画像と、可視反射光下以外の所定の条件で観察される潜像画像とを、全く相関のない画像とすることが可能であるため、容易に真偽判別することができる。
【００２３】
本発明の真偽判別可能な印刷物においては、生産性の高い印刷方式であるオフセット印刷で製造可能であることからコストパフォーマンスに優れ、また、最新のデジタル機器を用いたとしても潜像画像の再現は不可能であることから、偽造防止効果に優れている。
【図面の簡単な説明】
【００２４】
【図１】従来の真偽判別可能な印刷物の一例を示す図である。
【図２】従来の真偽判別可能な印刷物の観察条件の一例を示す図である。
【図３】図１に示した従来の真偽判別可能な印刷物の概念図である。
【図４】図３で示した従来の真偽判別可能な印刷物の画線ユニット内に形成される特殊形状網点の概念図である。
【図５】本発明の真偽判別可能な印刷物Ａ１とその一部拡大図である。
【図６】図５で示した真偽判別可能な印刷物Ａ１の画線ユニット内に形成される特殊形状網点の概念図である。
【図７】第１の画線ユニット５ａ、第２の画線ユニット５ｂ及び第３の画線ユニット５ｃを示す図である。
【図８】本発明の真偽判別可能な印刷物Ａ１との作用を示す図である。
【図９】第１の要素６ａと第２の要素６ｂの面積率の差を示す図である。
【図１０】本発明の真偽判別可能な印刷物Ａ１の版面データを示す図である。
【図１１】本発明の真偽判別可能な印刷物Ａ２とその一部拡大図である。
【図１２】図１１で示した真偽判別可能な印刷物Ａ２の画線ユニット内に形成される特殊形状網点の概念図である。
【図１３】第１の画線ユニット５ａ、第２の画線ユニット５ｂ、第３の画線ユニット５ｃ及び第４の画線ユニット５ｄを示す図である。
【図１４】本発明の真偽判別可能な印刷物Ａ２との作用を示す図である。
【図１５】第１の要素６ａ、と第２の要素６ｂ及び第３の要素６ｃの面積率の差を示す図である。
【図１６】本発明の真偽判別可能な印刷物Ａ２の版面データを示す図である。
【図１７】特殊形状網点の形状の一例を示す図である。
【図１８】特殊形状網点における網点マトリクス１８とピクセルの関係についての説明図である。
【発明を実施するための形態】
【００２５】
本発明を実施するための形態について、図面を参照して説明する。しかしながら、本発明は、以下に述べる実施するための形態に限定されるものではなく、特許請求の範囲記載における技術的思想の範囲内であれば、その他のいろいろな実施の形態が含まれる。
【００２６】
（実施の形態１）
図５は本発明の真偽判別可能な印刷物Ａ１とその一部拡大図である。図５に示すように、本発明の真偽判別可能な印刷物Ａ１は基材１上に階調画像２を設け、階調画像２は、第１の領域３と第２の領域４から成る。下記説明では、第１の領域３と第２の領域４の二つの領域を区分けして説明しているが、本発明はこれに限定されることなく少なくとも二つの領域を有していればよい。階調画像２は、特殊形状網点６の集合によって形成される。特殊形状網点６の集合は、画線ユニット５が隙間なくマトリックス状に配置され、その画線ユニット５内に形成される。画線ユニット５は、特殊形状網点６が形成される単位ユニットであり、実際に印刷されるものではない。
【００２７】
図６は、図５で示した真偽判別可能な印刷物Ａ１の画線ユニット内に形成される特殊形状網点の概念図である。画線ユニット５内は、特殊形状網点６が形成される。特殊形状網点６は階調画像の濃度に伴ってシャドウ部からハイライト部にかけて画線面積率が異なって形成されている。なお、特殊形状網点６の形状の詳細については後述するが、一般的なドット形状以外であれば特に限定されるものではない。特殊形状網点６は、第１の要素６ａと第２の要素６ｂを有する。第１の要素６ａと第２の要素６ｂは、重複することなく、相互に異なる面積を有する。
【００２８】
特殊形状網点６を形成する第１の要素６ａと第２の要素６ｂは、機能性を有するインキ又は可視反射光下で等色の機能性を有しないインキ「以下、機能性を有しないインキという」の何れかの選択で印刷される。第１の要素６ａと第２の要素６ｂのインキの種類の選択によって、潜像画像が形成される。図７に第１の画線ユニット５ａ、第２の画線ユニット５ｂ及び第３の画線ユニット５ｃを示す。図７に示すように図５で示した真偽判別可能な印刷物Ａ１の第１の領域３は、第１の要素６ａ１に機能性を有するインキと、第２の要素６ｂ２に機能性を有しないインキから成る第１の画線ユニット５ａと、第１の要素６ａ２に機能性を有しないインキと、第２の要素６ｂ１に機能性を有するインキから成る第２の画線ユニット５ｂで形成される。第２の領域４は、第１の要素６ａ１に機能性を有しないインキと、第２の要素６ｂ１に機能性を有しないインキから成る第３の画線ユニット５ｃで形成される。
【００２９】
図８に本発明の真偽判別可能な印刷物Ａ１との作用を示す。図２は、図５に示した真偽判別可能な印刷物Ａ１の観察条件の一例を示す図である。図２（ａ）は、可視光下で拡散光での観察状態であり、階調画像２に対する光源１１と観察者の視点１２が図２（ａ）に示すような位置関係、所謂、可視反射光下での観察において、図８（ａ）に示すように観察者には、階調画像２が視認される。これは、可視反射光下での観察において、第１の領域３内は、機能性を有するインキと、機能性を有しないインキで印刷され、第２の領域４内は、機能性を有しないインキで印刷されているため、図７に示すように第１の領域３内の第１の要素６ａ１、第２の要素６ｂ１及び第２の領域４内の第１の要素６ａ１、第２の要素６ｂ１は等色で視認される。よって、第１の領域３内の第１の要素６ａ１、第２の要素６ｂ１と、第２の領域４内の第１の要素６ａ１、第２の要素６ｂ１を区分けして視認することができない。
【００３０】
また、図２（ｂ）に示すように、階調画像２に対して、可視反射光１１´以外の所定の条件、例えば、視認用機器等１３を通した観察者の視点１２が図２（ｂ）に示すような位置関係、所謂、可視反射光下での観察において、図８（ｂ）に示すように観察者には、第１の領域３から成る潜像画像が視認される。これは、図７に示すように第１の画線ユニット５ａ内の第１の要素６ａ１、第２の画線ユニット５ｂ内の第２の要素６ｂ１は、機能性を有するインキで形成されているため、第１の画線ユニット５ａ内の第１の要素６ａ１、第２の画線ユニット５ｂ内の第２の要素６ｂ１のみが視認される。第１の画線ユニット５ａ内の第２の要素６ｂ２、第２の画線ユニット５ｂ内の第１の要素６ａ２、第３の画線ユニット５ｃ内の第１の要素６ａ１、第２の要素６ｂ１は、機能性を有しないインキで印刷されるため、可視反射光１１´以外の所定の条件で透過し不可視か、ほとんど視認し難い程度で視認されることがない。よって、可視反射光下以外の所定の条件、例えば、視認用機器等で観察した場合に、第１の領域３の第１の画線ユニット５ａ内及び第２の画線ユニット５ｂ内に形成された機能性を有するインキによって潜像画像が視認される。潜像画像は、第１の画線ユニット５ａ内の第１の要素６ａ１、第２の画線ユニット５ｂ内の第２の要素６ｂ１によって形成され、第１の要素６ａ１と第２の要素６ｂ１では、相互に異なる面積を有するため、異なる濃度階調を得ることができる。よって、可視光下で拡散光での観察される階調画像２の階調をそのまま再現されることない、階調を有する潜像画像が視認することができる。
【００３１】
図９は、第１の要素６ａと第２の要素６ｂの面積率の差を示す図である。図９（ａ）に示す画線ユニット５は、隙間なくマトリックス状に配置され、第１の要素６ａと第２の要素６ｂを有する階調画像の構成から成っている。グレースケール１６は、階調を有する。特殊形状網点は、グレースケール１６の階調に伴い網点形状が変化されている。特殊形状網点が形成される上での条件は、図９（ｂ）に示すように、第１の要素６ａと第２の要素６ｂの配置においては、互いに重ならないよう要素が配置されている。第１の要素６ａと第２の要素６ｂの形状においては、同一形状もしくは互いに異なった形状の要素を有する。第１の要素６ａと第２の要素６ｂの網点面積率においては、第１の要素６ａの合計面積率（Ａ）＜第２の要素６ｂの合計面積率（Ｂ）が充たされた網点面積率の要素となっている。図９（ｂ）と同じように図９（ｃ）、図９（ｄ）においては、特殊形状網点が形成される上での条件は、以下のｉ）〜ｉｉｉ）で示される。ｉ）要素の配置が互いに重ならないよう要素を配置、ｉｉ）要素の形状が同一形状もしくは互いに異なった形状の要素を有する、ｉｉｉ）要素の網点面積率がＡ＜Ｂが充たされた網点面積率の要素と成っている、この三つの条件で特殊形状網点が形成される。図９（ｂ）、図９（ｃ）、図９（ｄ）は、階調に伴う第１の要素６ａと第２の要素６ｂの網点形状を示す。図９（ｂ）は、グレースケール１６における網点面積率９０％相当の網点形状を示す。図９（ｃ）は、グレースケール１６における網点面積率５０％相当の網点形状を示す。図９（ｄ）は、グレースケール１６における網点面積率１０％相当の網点形状を示す。
【００３２】
図１０は、本発明の真偽判別可能な印刷物Ａ１の版面データを示す図である。図１０（ａ）に示すように第１の版面１４は、第１の画線ユニット５ａ内の第１の要素６ａ１、第２の画線ユニット５ｂ内の第２の要素６ｂ１が形成され、機能性を有するインキが使用される。図１０（ｂ）に示すように第２の版面１５は、第１の画線ユニット５ａ内の第２の要素６ｂ２、第２の画線ユニット５ｂ内の第１の要素６ａ２、第３の画線ユニット５ｃ内の第１の要素６ａ１、第２の要素６ｂ１が形成され、機能性を有しないインキが使用される。第１の版面１４及び第２の版面１５が重ね刷りされ、図５で示した真偽判別可能な印刷物Ａ１が形成される。
【００３３】
（実施の形態２）
図１１は本発明の真偽判別可能な印刷物Ａ２とその一部拡大図である。図１１に示すように、本発明の真偽判別可能な印刷物Ａ２は基材１上に「富士山」の図柄である階調画像２を設け、階調画像２は、「鷹」の図柄の第１の領域３と、鷹の図柄の周辺にあたる第２の領域４から成る。階調画像２は、特殊形状網点６の集合によって形成される。特殊形状網点６の集合は、画線ユニット５が隙間なくマトリックス状に配置され、その画線ユニット５内に形成される。画線ユニット５は、特殊形状網点６が形成される単位ユニットであり、実際に印刷されるものではない。
【００３４】
図１２は、図１１で示した真偽判別可能な印刷物Ａ２の画線ユニット内に形成される特殊形状網点の概念図である。画線ユニット５内は、特殊形状網点６が形成される。特殊形状網点６は階調画像の濃度に伴ってシャドウ部からハイライト部にかけて画線面積率が異なって形成されている。なお、特殊形状網点６の形状の詳細については後述するが、一般的なドット形状以外であれば特に限定されるものではない。次に、実施の形態２について、実施の形態１と異なる点を説明する。実施の形態１の真偽判別可能な印刷物Ａ１の特殊形状網点６は、第１の要素６ａと第２の要素６ｂによって形成されているが、実施の形態２の真偽判別可能な印刷物Ａ２の特殊形状網点６は、第１の要素６ａ、第２の要素６ｂ及び第３の要素６ｃから形成される。第１の要素６ａ、第２の要素６ｂ及び第３の要素６ｃは、重複することなく、相互に異なる面積を有する。
【００３５】
特殊形状網点６を形成する第１の要素６ａ、第２の要素６ｂ及び第３の要素６ｃは、機能性を有するインキ又は可視反射光下で等色の機能性を有しないインキの何れかの選択で印刷される。第１の要素６ａ、第２の要素６ｂ及び第３の要素６ｃのインキの種類の選択によって、潜像画像が形成される。図１３に第１の画線ユニット５ａ、第２の画線ユニット５ｂ、第３の画線ユニット５ｃ及び第４の画線ユニット５ｄを示す。図１３に示すように図１１で示した真偽判別可能な印刷物Ａ２の第１の領域３は、第１の要素６ａ２に機能性を有しないインキと、第２の要素６ｂ１に機能性を有するインキと、第３の要素６ｃ１に機能性を有するインキから成る第１の画線ユニット５ａと、第１の要素６ａ１に機能性を有するインキと、第２の要素６ｂ２に機能性を有しないインキと、第３の要素６ｃ１に機能性を有するインキから成る第２の画線ユニット５ｂと、第１の要素６ａ２に機能性を有しないインキと、第２の要素６ｂ２に機能性を有しないインキと、第３の要素６ｃ１に機能性を有するインキから成る第３の画線ユニット５ｃで形成される。第２の領域４は、第１の要素６ａ１に機能性を有しないインキと、第２の要素６ｂ１に機能性を有しないインキと、第３の要素６ｃ１に機能性を有しないインキから成る第４の画線ユニット５ｄで形成される。
【００３６】
図１４に本発明の真偽判別可能な印刷物Ａ２との作用を示す。図２は、図１１に示した真偽判別可能な印刷物Ａ２の観察条件の一例を示す図である。図２（ａ）は、可視光下で拡散光での観察状態であり、階調画像２に対する光源１１と観察者の視点１２が図２（ａ）に示すような位置関係、所謂、可視反射光下での観察において、図１４（ａ）に示すように観察者には、「富士山」の図柄の階調画像２が視認される。これは、可視反射光下での観察において、第１の領域３内は、機能性を有するインキと、機能性を有しないインキで印刷され、第２の領域４内は、機能性を有しないインキで印刷されているため、図１３に示すように第１の領域３内の第１の要素６ａ１、第２の要素６ｂ１、第３の要素６ｃ１及び第２の領域４内の第１の要素６ａ１、第２の要素６ｂ１、第３の要素６ｃ１は等色で視認される。よって、第１の領域３内の第１の要素６ａ１、第２の要素６ｂ１、第３の要素６ｃ１と、第２の領域４内の第１の要素６ａ１、第２の要素６ｂ１、第３の要素６ｃ１を区分けして視認することができない。
【００３７】
また、図２（ｂ）に示すように、階調画像２に対して、可視反射光１１´以外の所定の条件、例えば、視認用機器等１３を通した観察者の視点１２が図２（ｂ）に示すような位置関係、所謂、可視反射光下での観察において、図１４（ｂ）に示すように観察者には、第１の領域３の機能性を有するインキで形成した要素によって潜像画像が視認される。これは、図１３に示すように第１の画線ユニット５ａ内の第２の要素６ｂ１、第３の要素６ｃ１、第２の画線ユニット５ｂ内の第１の要素６ａ１、第３の要素６ｃ１、第３の画線ユニット５ｃ内の第３の要素６ｃ１は、機能性を有するインキで形成されているため、第１の画線ユニット５ａ内の第２の要素６ｂ１、第３の要素６ｃ１、第２の画線ユニット５ｂ内の第１の要素６ａ１、第３の要素６ｃ１、第３の画線ユニット５ｃ内の第３の要素６ｃ１のみが視認される。第１の画線ユニット５ａ内の第１の要素６ａ２、第２の画線ユニット５ｂ内の第２の要素６ｂ２、第３の画線ユニット５ｃ内の第１の要素６ａ２、第２の要素６ｂ２、第４の画線ユニット５ｄ内の第１の要素６ａ１、第２の要素６ｂ１、第３の要素６ｃ１は、機能性を有しないインキで印刷されるため、可視反射光１１´以外の所定の条件で透過し不可視か、ほとんど視認し難い程度で視認されることがない。よって、可視反射光下以外の所定の条件、例えば、視認用機器等で観察した場合に、第１の領域３の第１の画線ユニット５ａ内、第２の画線ユニット５ｂ内及び第３の画線ユニット５ｃ内に形成された機能性を有するインキによって、「鷲」の図柄の潜像画像が視認される。「鷲」の図柄の潜像画像は、第１の画線ユニット５ａ内の第２の要素６ｂ１、第３の要素６ｃ１、第２の画線ユニット５ｂ内の第１の要素６ａ１、第３の要素６ｃ１、第３の画線ユニット５ｃ内の第３の要素６ｃ１によって形成され、第１の要素６ａ１と第２の要素６ｂ１と第３の要素６ｃ１では、相互に異なる面積を有するため、異なる濃度階調を得ることができる。よって、可視光下で拡散光での観察される階調画像２の階調をそのまま再現されることない、階調を有する「鷲」の図柄の潜像画像が視認することができる。
【００３８】
図１５は、第１の要素６ａ、第２の要素６ｂ及び第３の要素６ｃの面積率の差を示す図である。図１５（ａ）に示す画線ユニット５は、隙間なくマトリックス状に配置され、第１の要素６ａ、第２の要素６ｂ及び第３の要素６ｃを有する階調画像の構成から成っている。グレースケール１６は、階調を有する。特殊形状網点は、グレースケール１６の階調に伴い網点形状が変化されている。特殊形状網点が形成される上での条件は、図１５（ｂ）に示すように、第１の要素６ａ、第２の要素６ｂ及び第２の要素６ｃの配置においては、互いに重ならないよう要素が配置されている。第１の要素６ａ、第２の要素６ｂ及び第２の要素６ｃの形状においては、同一形状もしくは互いに異なった形状の要素を有する。第１の要素６ａ、第２の要素６ｂ及び第２の要素６ｃの網点面積率においては、第１の要素６ａの合計面積率（Ａ）＜第２の要素６ｂの合計面積率（Ｂ）＜第３の要素６ｃの合計面積率（Ｃ）が充たされた網点面積率の要素となっている。図１５（ｂ）と同じように図１５（ｃ）、図１５（ｄ）においては、特殊形状網点が形成される上での条件は、以下のｉ）〜ｉｉｉ）で示される。ｉ）要素の配置が互いに重ならないよう要素を配置、ｉｉ）要素の形状が同一形状もしくは互いに異なった形状の要素を有する、ｉｉｉ）要素の網点面積率がＡ＜Ｂ＜Ｃが充たされた網点面積率の要素と成っている、この三つの条件で特殊形状網点が形成される。図１５（ｂ）、図１５（ｃ）、図１５（ｄ）は、階調に伴う第１の要素６ａ、第２の要素６ｂ及び第２の要素６ｃの網点形状を示す。図１５（ｂ）は、グレースケール１６における網点面積率９０％相当の網点形状を示す。図１５（ｃ）は、グレースケール１６における網点面積率５０％相当の網点形状を示す。図１５（ｄ）は、グレースケール１６における網点面積率１０％相当の網点形状を示す。
【００３９】
図１６は、本発明の真偽判別可能な印刷物Ａ２の版面データを示す図である。図１６（ａ）に示すように第１の版面１４は、第１の画線ユニット５ａ内の第２の要素６ｂ１及び第３の要素６ｃ１、第２の画線ユニット５ｂ内の第１の要素６ａ１及び第３の要素６ｃ１、第３の画線ユニット５ｃ内の第３の要素６ｃ１が形成され、機能性を有するインキが使用される。図１６（ｂ）に示すように第２の版面１５は、第１の画線ユニット５ａ内の第１の要素６ａ２、第２の画線ユニット５ｂ内の第２の要素６ｂ２、第３の画線ユニット５ｃ内の第１の要素６ａ２、第２の要素６ｂ２、第４の画線ユニット５ｄ内の第１の要素６ａ１、第２の要素６ｂ１、第３の要素６ｃ１が形成され、機能性を有しないインキが使用される。第１の版面１４及び第２の版面１５が重ね刷りされ、図１１で示した真偽判別可能な印刷物Ａ２が形成される。
【００４０】
画線ユニットのサイズは、特に限定されることはないが、銀行券、株券、債券等の有価証券、各種証明書及び重要書類等の印刷物の地紋模様に採用した場合、特殊形状網点の一つの大きさは、５００〜１０００μｍの範囲が好ましいが、それに限定されるものでもない。特殊形状網点の形状については、一般的なドット形状以外であれば特に限定されるものではない。例えば、図１７に示すような形状（ａ）〜（ｆ）が挙げられる。
【００４１】
上記記載の特殊形状網点は、図１８に示すように作成される。図１８（ａ）に示すように、特殊形状網点のピクセル１７のマトリクスから成る網点マトリクス１８内のピクセル１７の存在の有無により表現される。図１８（ａ）は、一例として、１６×１６のマトリクスから成る網点マトリクス１８である。また、階調は、網点マトリクス１８内のピクセルの存在量により表現される。なお、本明細書における「ピクセル」とは、網点マトリクス１８の微小に区分けした最小部分を白黒２値で表した「画像要素」のことをいう。
【００４２】
図１８を用いて特殊形状網点における網点マトリクス１８とピクセルの関係について説明する。図１８（ｂ）は、上記記載の真偽判別可能な印刷物Ａ１に用いた特殊形状網点である。図９（ｂ）〜（ｄ）に示す特殊形状網点を第１の形状とした第１の網点Ａの濃色（シャドウ）から淡色（ハイライト）まで階調の変化を示すものである。図１８（ｂ）に示すように、階調が濃色（シャドウ）の場合は、網点マトリクス１８における特殊形状網点の全体にピクセル１７が存在するために、濃色（シャドウ）であるＡ１として表現される。階調が淡色（ハイライト）の場合は、網点マトリクス１８における特殊形状網点の周囲にのみピクセル１７が存在するために、淡色（ハイライト）であるＡ１として表現される。
【００４３】
本発明の真偽判別印刷物に用いる機能性を有するインキは、下記のインキが挙げられる。機能性を有するインキは、可視反射光下では機能性を有しない通常の有色インキと等色であり、可視透過光下で観察した場合に機能性を有しないインキと色彩が異なって視認される有色浸透インキである。また、可視反射光下では機能性を有しない通常の有色インキと等色であり、紫外線を照射した場合に発光して視認される蛍光発光インキである。また、可視反射光下では機能性を有しない通常の有色インキと等色であり、可視光下の所定の波長をカットするフィルタを透して観察した場合に機能性を有しないインキと色彩が異なって視認されるメタメリックインキである。また、可視反射光下では機能性を有しない赤外領域で透過する赤外線透過インキと等色であり、赤外領域で吸収する赤外線吸収インキである。
【００４４】
本発明の真偽判別可能な印刷物の基材１は、上質紙、コート紙、アート紙等の紙葉類を用いることができる。また、フィルム、プラスチック及びそれらの複合素材等を用いることもできる。
【００４５】
本発明の真偽判別可能な印刷物の印刷方法としては、オフセット印刷、グラビア印刷、凹版印刷、スクリーン印刷、フレキソ印刷、デジタル印刷、インクジェットプリンタ、レーザプリンタ等、特に限定されるものではないが、微細な特殊形状網点を印刷する場合、オフセット印刷、デジタル印刷、インクジェットプリンタ、レーザプリンタが好ましい。
【符号の説明】
【００４６】
１、１´    基材
Ａ１、Ａ２          真偽判別可能な印刷物
２、２´    階調画像
３、３´    第１の領域
４、４´    第２の領域
５、５´    画線ユニット
６、６´    特殊形状網点
６ａ          第１の要素
６ｂ          第２の要素
６ｃ          第３の要素
６ｄ          第４の要素
６ａ１          第１の要素
６ｂ１          第２の要素
６ｃ１          第３の要素
６ａ２          第１の要素
６ｂ２          第２の要素
６ｃ２          第３の要素
５ａ          第１の画線ユニット
５ｂ          第２の画線ユニット
５ｃ          第３の画線ユニット
５ｄ          第４の画線ユニット
１１、１１´          可視反射光
１２                  視点
１３                  視認用機器等
１４                  第１の版面
１５                  第２の版面
１６          グレースケール
１７          ピクセル
１８          網点マトリクス
【図１】
0006403014.tif 000002
【図２】
0006403014.tif 000003
【図３】
0006403014.tif 000004
【図４】
0006403014.tif 000005
【図５】
0006403014.tif 000006
【図６】
0006403014.tif 000007
【図７】
0006403014.tif 000008
【図８】
0006403014.tif 000009
【図９】
0006403014.tif 000010
【図１０】
0006403014.tif 000011
【図１１】
0006403014.tif 000012
【図１２】
0006403014.tif 000013
【図１３】
0006403014.tif 000014
【図１４】
0006403014.tif 000015
【図１５】
0006403014.tif 000016
【図１６】
0006403014.tif 000017
【図１７】
0006403014.tif 000018
【図１８】
0006403014.tif 000019